(57)【要約】【課題】  挿入台がスライド槽に沿って移動可能なウェブカメラのベースを提供する。【解決手段】  前足１、後脚２、挿入台３からなるウェブカメラのベースにおいて、前脚１下方には挿入脚１５を設置し、挿入脚１５は滑り止めブロック１６により固定挿入され、前脚１上方には凹槽９を設置し、凹槽９両側には凹貫通孔１０を対応設置する。後脚２両端下方に挿入脚１５を設置し、挿入脚１５は滑り止めブロック１６により固定挿入され安定的な三角サポート構造を形成する。【選択図】  図２
0003115587.tif 000002
【実用新案登録請求の範囲】
【請求項１】
前脚、後脚、挿入台を含み、該前脚下方には挿入脚を設置し、該挿入脚は滑り止めブロックにより固定挿入され、
該前脚上方には凹槽を設置し、該凹槽両側には凹貫通孔を対応設置し、
該後脚両端下方にも該挿入脚を設置し、該挿入脚は滑り止めブロックにより固定挿入され、こうして安定的な三角サポート構造を形成し、
該後脚前端には凸型ブロックを設置し、該凸型ブロックには凸貫通孔を設置し、該凸貫通孔内には耐磨耗スリーブを嵌設し、該凸型ブロックは該凹槽と相互に係合され、該凹貫通孔及び該凸貫通孔は相互に対応後、さらに第二ワッシャを第一ワッシャ上に覆設し、該第二ワッシャ上には凹片を設置し、該凹片は該耐磨耗スリーブの凹槽に係入し、該挿入台は該後脚のスライド槽に挿入され、
該挿入台上方には挿入柱を設置し、中央には係合リングを係合し、下方には弧状片を設置し、該弧状片には凸スライド片を突出設置し、底部には導入ブロックを設置し、該挿入台を挿入後、蓋片を蓋入し、槽孔と該導入部ブロックを相互に交差させ、該凸スライド片を該槽孔に突出させ、さらに固定ボルトは貫通孔を貫通し、貫通孔に螺入し、こうして、該挿入台は該スライド槽に沿って移動可能となることを特徴とするウェブカメラのベース。
【考案の詳細な説明】
【技術分野】
【０００１】
本考案は一種のウェブカメラのベースに関する。特に一種の前脚、後脚、挿入台を含み、該前脚下方には挿入脚を設置し、該挿入脚は滑り止めブロックにより固定挿入され、該前脚上方には凹槽を設置し、該凹槽両側には凹貫通孔を対応設置し、該後脚両端下方にも該挿入脚を設置し、該挿入脚は滑り止めブロックにより固定挿入され、こうして安定的な三角サポート構造を形成し、該後脚前端には凸型ブロックを設置し、該凸型ブロックには凸貫通孔を設置し、該凸貫通孔内には耐磨耗スリーブを嵌設し、該凸型ブロックは該凹槽と相互に係合され、該凹貫通孔及び該凸貫通孔は相互に対応後、さらに第二ワッシャを第一ワッシャ上に覆設し、該第二ワッシャ上には凹片を設置し、該凹片は該耐磨耗スリーブの凹槽に係入し、該挿入台は該後脚のスライド槽に挿入され、該挿入台上方には挿入柱を設置し、中央には係合リングを係合し、下方には弧状片を設置し、該弧状片には凸スライド片を突出設置し、底部には導入ブロックを設置し、該挿入台を挿入後、蓋片を蓋入し、槽孔と該導入部ブロックを相互に交差させ、該凸スライド片を該槽孔に突出させ、さらに固定ボルトは貫通孔を貫通し、貫通孔に螺入し、こうして、該挿入台は該スライド槽に沿って移動可能となるウェブカメラのベースに係る。
【背景技術】
【０００２】
公知のウェブカメラは主に固定台を本体として用い、該固定台下方には密着或いは固定のためのベースを設置し、ウェブカメラをその上方に設置する。すなわち、該ウェブカメラへのサポート機能は、わずかに該ベースの上方に該ウェブカメラを設置するだけであるため、基本的な支持を行うことができるだけである。
【特許文献１】特開２００３−３２５２８号公報
【考案の開示】
【考案が解決しようとする課題】
【０００３】
公知構造には以下の欠点があった。
すなわち、公知のウェブカメラのベースは基本的な固定を提供するだけであるため、軽い衝撃を受けるだけで倒れてしまう。
さらに公知のウェブカメラのベースはある一定の使用位置に固定する必要があるため、コンピュータデスク或いはノートPC上における使用或いは設置には共に非常に不便である。
本考案は上記構造の問題点を解決したウェブカメラのベースを提供するものである。
【課題を解決するための手段】
【０００４】
本考案はウェブカメラのベースで、主に前脚、後脚、挿入台を含み、
該前脚下方には挿入脚を設置し、該挿入脚は滑り止めブロックにより固定挿入され、
該前脚上方には凹槽を設置し、該凹槽両側には凹貫通孔を対応設置し、
該後脚両端下方にも該挿入脚を設置し、該挿入脚は滑り止めブロックにより固定挿入され、こうして安定的な三角サポート構造を形成し、
該後脚前端には凸型ブロックを設置し、該凸型ブロックには凸貫通孔を設置し、該凸貫通孔内には耐磨耗スリーブを嵌設し、該凸型ブロックは該凹槽と相互に係合され、該凹貫通孔及び該凸貫通孔は相互に対応後、さらに第二ワッシャを第一ワッシャ上に覆設し、該第二ワッシャ上には凹片を設置し、該凹片は該耐磨耗スリーブの凹槽に係入し、該挿入台は該後脚のスライド槽に挿入され、
該挿入台上方には挿入柱を設置し、中央には係合リングを係合し、下方には弧状片を設置し、該弧状片には凸スライド片を突出設置し、底部には導入ブロックを設置し、該挿入台を挿入後、蓋片を蓋入し、槽孔と該導入部ブロックを相互に交差させ、該凸スライド片を該槽孔に突出させ、さらに固定ボルトは貫通孔を貫通し、貫通孔に螺入し、こうして、該挿入台は該スライド槽に沿って移動可能となることを特徴とする。
【考案の効果】
【０００５】
上記のように、本考案の使用により使用者はウェブカメラの角度を必要に応じて調整可能である。また本考案の前脚と後脚を屈折させると、両者は内側に向かい挟固空間を形成し、該挟固空間はコンピュータモニタ上方を跨ぎ設置され、自由に設置可能という機能を達成する。さらに、本考案の滑り止めブロックは軟性材質により製造するため、モニタを保護しつつ挟固可能である。
【考案を実施するための最良の形態】
【０００６】
図１、２、６に示すように、本考案は主に前脚１、後脚２、挿入台３を含む。
ウェブカメラ本体は該前脚１及び該後脚２に設置し、該前脚１下方には挿入脚１５を設置し、該挿入脚１５は滑り止めブロック１６により固定挿入される。
該前脚１上方には凹槽９を設置し、該凹槽９両側には凹貫通孔１０を対応設置する。
該後脚２両端下方にも該挿入脚１５を設置し、該挿入脚１５は滑り止めブロック１６により固定挿入され、こうして安定的な三角サポート構造を形成する。
該後脚２前端には凸型ブロック２４を設置し、該凸型ブロック２４には凸貫通孔２５を設置する。該凸貫通孔２５内には耐磨耗スリーブ２６を嵌設し、該凸型ブロック２４は該凹槽９と相互に係合され、該凹貫通孔１０及び該凸貫通孔２５は相互に対応後、さらに第二ワッシャ１１を第一ワッシャ１３上に覆設する。該第二ワッシャ１１上には凹片１２を設置し、該凹片１２は該耐磨耗スリーブ２６の凹槽に係入し、該挿入台３は該後脚２のスライド槽１７に挿入される。
該挿入台３上方には挿入柱４を設置し、中央には係合リング５を係合し、下方には弧状片７を設置する。該弧状片７には凸スライド片８を突出設置し、底部には導入ブロック６を設置する。該挿入台３を挿入後、蓋片１９を蓋入し、槽孔２２と該導入部ブロック６を相互に交差させ、該凸スライド片８を該槽孔２２に突出させ、さらに固定ボルト２３は貫通孔２０を貫通し、貫通孔１８に螺入する。こうして、該挿入台３は該スライド槽１７に沿って移動可能となる。
【０００７】
次に図３に示すように、ウェブカメラ３０を本考案に固定後、さらにコンピュータデスク２７に設置する時には、使用者のニーズに応じて該ウェブカメラ３０の角度を調整可能である。
さらに図４に示すように、該ウェブカメラ３０を本考案のベースに挿入後、該前脚１と該後脚２を屈折させると、両者は内側に向かい挟固空間を形成する。さらに該挟固空間をコンピュータモニタ２８上方に跨ぎ設置し、自由に設置位置を設定可能とする。
次に図５に示すように、該ウェブカメラ３０を本考案のベースに挿入後、該前脚１と該後脚２を屈折させると、両者は内側に向かい挟固空間を形成し、該挟固空間をノートPC２９上方に跨ぎ設置する。該前脚１と該後脚２の底端には該滑り止めブロック１６を設置するが、該滑り止めブロック１６は軟性材質により製造するため、モニタを保護可能でありながら固定の目的を達成する。
【図面の簡単な説明】
【０００８】
【図１】本考案の立体指示図である。
【図２】本考案の立体分解指示図である。
【図３】本考案の第一実施例図である。
【図４】本考案の第二実施例図である。
【図５】本考案の第三実施例図である。
【図６】本考案の断面実施例図である。
【符号の説明】
【０００９】
１  前脚
２  後脚
３  挿入台
４  挿入柱
５  係合リング
６  導入ブロック
７  弧状片
８  凸スライド片
９  凹槽
１０  凹貫通孔
１１  第二ワッシャ
１２  凹片
１３  第一ワッシャ
１４  固定ボルト
１５  挿入脚
１６  滑り止めブロック
１７  スライド槽
１８  貫通孔
１９  蓋片
２０  貫通孔
２１  導入槽
２２  槽孔
２３  固定ボルト
２４  凸型ブロック
２５  凸貫通孔
２６  耐磨耗スリーブ
２７  コンピュータデスク
２８  コンピュータモニタ
２９  ノートPC
３０  カメラ
【図１】
0003115587.tif 000003
【図２】
0003115587.tif 000004
【図３】
0003115587.tif 000005
【図４】
0003115587.tif 000006
【図５】
0003115587.tif 000007
【図６】
0003115587.tif 000008